(57)【要約】【目的】  本発明の目的は、不正コピーを行った者を特定することが可能なデジタルコンテンツの不正使用防止システムを提供する。【構成】  記録媒体αに記録したデジタルコンテンツを再生する再生装置１１０と、この再生装置１１０と通信回線βを介して接続されており且つ再生装置１１０のユーザの個人情報が予め記録されたユーザ情報ＤＢ１２４を有するサーバ１２０とを備えており、再生装置１１０は、ユーザによりデジタルコンテンツの再生操作がなされると、当該ユーザの個人情報をサーバ１２０に要求し、サーバ１２０は当該要求に応じてユーザ情報ＤＢ１２４から当該要求に係るユーザの個人情報を読み出して再生装置１１０に送信し、再生装置１１０は当該個人情報を受信してメモリ部１１５に記録し、当該個人情報をデジタルコンテンツに埋め込み再生するようになっている。【選択図】      図１
2006004374.tif 000002
【特許請求の範囲】
【請求項１】
メモリ部又は記録媒体に記録したデジタルコンテンツを再生する再生装置と、この再生装置と通信回線を介して接続されており且つ再生装置のユーザの個人情報が予め記録された個人情報用データベースを有するサーバとを備えており、再生装置は、ユーザによりデジタルコンテンツの再生操作がなされると、当該ユーザの個人情報をサーバに要求し、サーバは当該要求に応じて個人情報用データベースから当該要求に係るユーザの個人情報を読み出して再生装置に送信し、再生装置は当該個人情報を受信してメモリ部に記録し、当該個人情報をデジタルコンテンツに埋め込み再生するようになっていることを特徴とするデジタルコンテンツの不正使用防止システム。
【請求項２】
請求項１記載のデジタルコンテンツの不正使用防止システムにおいて、デジタルコンテンツはヘッダ情報とデータ本体とを有し、ヘッダ情報に含まれるデータ本体を再生するのに不可欠な再生情報が欠落した状態でメモリ部又は記録媒体に記録されており、
サーバは欠落させた再生情報が記録されたピースデータデータベースを有し、
再生装置はユーザによりデジタルコンテンツの再生の申し込み操作がなされると、当該ユーザの個人情報及び当該デジタルコンテンツの再生情報をサーバに要求し、
サーバは当該要求に応じて個人情報用データベースから当該ユーザの個人情報を読み出す一方、ピースデータデータベースから当該デジタルコンテンツの再生情報を読み出し、当該個人情報及び再生情報を同時又は相前後して再生装置に送信し、
再生装置は当該個人情報及び再生情報を受信してメモリ部に記録し、当該再生情報とデジタルコンテンツのヘッダ情報とを用いて当該デジタルコンテンツのデータ本体を再生するに当たり、メモリ部上の個人情報を当該データ本体に埋め込み再生するようになっていることを特徴とするデジタルコンテンツの不正使用防止システム。
【請求項３】
請求項１記載のデジタルコンテンツの不正使用防止システムにおいて、デジタルコンテンツがヘッダ情報とデータ本体とを有し、データ本体の一部が欠落した状態でメモリ部又は記録媒体に記録されており、
サーバは欠落させたデータ本体の一部及び当該データ本体の一部がデータ本体のどの部分であるかを示す位置情報が記録されたピースデータデータベースを有し、
再生装置はユーザによりデジタルコンテンツの再生の申し込み操作がなされると、当該ユーザの個人情報、当該デジタルコンテンツのデータ本体の一部及びその位置情報をサーバに要求し、
サーバは当該要求に応じてデータベースから当該ユーザの個人情報を読み出す一方、ピースデータデータベースから当該デジタルコンテンツのデータ本体の一部及びその位置情報を読み出し、当該個人情報、データ本体の一部及びその位置情報を同時又は相前後して再生装置に送信し、
再生装置は当該個人情報、データ本体の一部及びその位置情報を受信してメモリ部に記録し、当該個人情報をデジタルコンテンツのデータ本体に埋め込み再生するに当たり、メモリ部上の位置情報を参照して前記データ本体の欠落部分を認識し、メモリ部上のデータ本体の一部を当該欠落部分のデータとして読み出して再生するようになっていることを特徴とするデジタルコンテンツの不正使用防止システム。
【請求項４】
請求項１のデジタルコンテンツの不正使用防止システムに用いられる再生装置において、ユーザによりデジタルコンテンツの再生操作がなされると、サーバに当該ユーザの個人情報をサーバに要求し、その後、サーバから当該ユーザの個人情報を受信すると、当該個人情報をメモリ部に記録し、当該個人情報をデジタルコンテンツに埋め込み再生する機能を有しているデジタルコンテンツの不正使用防止システムに用いられる再生装置。
【請求項５】
請求項２記載のデジタルコンテンツの不正使用防止システムに用いられる再生装置において、ユーザによりデジタルコンテンツの再生の申し込み操作がなされると、当該ユーザの個人情報及び当該デジタルコンテンツの再生情報をサーバに要求し、その後、サーバから当該個人情報及び再生情報を同時又は相前後して受信すると、当該個人情報及び再生情報をメモリ部に記録し、当該再生情報とデジタルコンテンツのヘッダ情報とを用いて当該デジタルコンテンツのデータ本体を再生するに当たり、メモリ部上の個人情報を当該データ本体に埋め込み再生する機能を有していることを特徴とするデジタルコンテンツの不正使用防止システムに用いられる再生装置。
【請求項６】
請求項３記載のデジタルコンテンツの不正使用防止システムに用いられる再生装置において、ユーザによりデジタルコンテンツの再生の申し込み操作がなされると、当該ユーザの個人情報、当該デジタルコンテンツのデータ本体の一部及びその位置情報をサーバに要求し、その後、サーバから当該個人情報、データ本体の一部及びその位置情報が同時又は相前後して受信すると、当該個人情報、データ本体の一部及びその位置情報をメモリ部に記録し、当該個人情報をデジタルコンテンツのデータ本体に埋め込み再生するに当たり、メモリ部上の位置情報を参照して前記データ本体の欠落部分を認識し、メモリ部上のデータ本体の一部を当該欠落部分のデータとして読み出して再生する機能を有していることを特徴とするデジタルコンテンツの不正使用防止システムに用いられる再生装置。
【請求項７】
請求項１のデジタルコンテンツの不正使用防止システムに用いられる再生装置がコンピュータであり、当該コンピュータにより処理されるプログラムであって、ユーザによりデジタルコンテンツの再生操作が入力されると、サーバに当該ユーザの個人情報をサーバに要求し、その後、サーバから当該ユーザの個人情報を受信すると、当該個人情報をメモリ部に記録し、当該個人情報をデジタルコンテンツに埋め込み再生する内容になっているデジタルコンテンツの不正使用防止システムに用いられる再生用プログラム。
【請求項８】
請求項２記載のデジタルコンテンツの不正使用防止システムに用いられる再生装置がコンピュータであり、当該コンピュータにより処理されるプログラムであって、ユーザによりデジタルコンテンツの再生の申し込み操作が入力されると、当該ユーザの個人情報及び当該デジタルコンテンツの再生情報をサーバに要求し、その後、サーバから当該個人情報及び再生情報を同時又は相前後して受信すると、当該個人情報及び再生情報をメモリ部に記録し、当該再生情報とデジタルコンテンツのヘッダ情報とを用いて当該デジタルコンテンツのデータ本体を再生するに当たり、メモリ部上の個人情報を当該データ本体に埋め込み再生する内容になっていることを特徴とするデジタルコンテンツの不正使用防止システムに用いられる再生用プログラム。
【請求項９】
請求項３記載のデジタルコンテンツの不正使用防止システムに用いられる再生装置がコンピュータであり、当該コンピュータにより処理されるプログラムであって、ユーザによりデジタルコンテンツの再生の申し込み操作が入力されると、当該ユーザの個人情報、当該デジタルコンテンツのデータ本体の一部及びその位置情報をサーバに要求し、その後、サーバから当該個人情報、データ本体の一部及びその位置情報が同時又は相前後して受信すると、当該個人情報、データ本体の一部及びその位置情報をメモリ部に記録し、当該個人情報をデジタルコンテンツのデータ本体に埋め込み再生するに当たり、メモリ部上の位置情報を参照して前記データ本体の欠落部分を認識し、メモリ部上のデータ本体の一部を当該欠落部分のデータとして読み出して再生する内容になっていることを特徴とするデジタルコンテンツの不正使用防止システムに用いられる再生用プログラム。
【請求項１０】
請求項１記載のデジタルコンテンツの不正使用防止システムにおいて、サーバは、再生装置を通じたユーザ登録によりユーザの個人情報を取得し、個人情報用データベースに記録するようになっていることを特徴とするデジタルコンテンツの不正使用防止システム。
【請求項１１】
請求項１記載のデジタルコンテンツの不正使用防止システムにおいて、サーバは再生装置のユーザの個人情報を取得するための個人情報取得用プログラムが記録された個人情報取得用データベースを有しており、当該個人情報取得用プログラムを再生装置に送信し、再生装置が当該個人情報取得用プログラムを処理することによりメモリ部上の個人情報を読み出してサーバに送信し、サーバが当該個人情報をデータベースに記録するようになっていることを特徴とするデジタルコンテンツの不正使用防止システム。
【請求項１２】
請求項７、８又は９記載のデジタルコンテンツの不正使用防止システムに用いられる再生用プログラムにおいて、請求項１１の個人情報取得用プログラムの内容が含まれており、再生装置のメモリ部にインストールされると、再生装置により個人情報取得用プログラムの内容部分が処理され、これにより再生装置がメモリ部上の個人情報を読み出してサーバに送信する内容になっていることを特徴とするデジタルコンテンツの不正使用防止システムに用いられる再生用プログラム。
【請求項１３】
メモリ部又は記録媒体に記録したデジタルコンテンツを再生する再生装置において、メモリ部にユーザの個人情報が予め記録されており、ユーザによりデジタルコンテンツの再生操作がなされると、メモリ部からユーザの個人情報を読み出し、当該個人情報をデジタルコンテンツに埋め込み再生するようになっていることを特徴とするデジタルコンテンツの再生装置。
【発明の詳細な説明】
【技術分野】
【０００１】
本発明は、ＣＤ、ＤＶＤ等の記録媒体、インターネット回線、電話回線等を通じてユーザに配布／配信されたデジタルコンテンツの不正使用を防止することが可能なデジタルコンテンツの不正使用防止システム等に関する。
【背景技術】
【０００２】
デジタルコンテンツの不正使用防止方法としては、デジタルコンテンツに透かし情報を埋め込み記録媒体に記録したものがある( 例えば、特許文献１参照) 。このように透かし情報をデジタルコンテンツに埋め込み記録しておけば、当該デジタルコンテンツを不正コピーしたことを証明することが可能になる。
【０００３】
【特許文献１】特開２００３−２９８８３４号公報
【発明の開示】
【発明が解決しようとする課題】
【０００４】
ところが、前記透かし情報としては、著作者の名前、著作物の製造年月日や製品番号等が用いられている。このような情報では、不正コピーであることは証明することが可能であるが、最初に不正コピーを行った者を特定することはできない。
【０００５】
本発明は、上記事情に鑑みて創案されたものであって、その目的とするところは、最初に不正コピーを行った者を特定することが可能なデジタルコンテンツの不正使用防止システムを提供することにある。
【課題を解決するための手段】
【０００６】
上記課題を解決するために、本発明のデジタルコンテンツの不正使用防止システムは、メモリ部又は記録媒体に記録したデジタルコンテンツを再生する再生装置と、この再生装置と通信回線を介して接続されており且つ再生装置のユーザの個人情報が予め記録された個人情報用データベースを有するサーバとを備えており、再生装置は、ユーザによりデジタルコンテンツの再生操作がなされると、当該ユーザの個人情報をサーバに要求し、サーバは当該要求に応じて個人情報用データベースから当該要求に係るユーザの個人情報を読み出して再生装置に送信し、再生装置は当該個人情報を受信してメモリ部に記録し、当該個人情報をデジタルコンテンツに埋め込み再生するようになっていることを特徴としている。
【０００７】
このデジタルコンテンツの不正使用防止システムに用いられる再生装置は、ユーザによりデジタルコンテンツの再生操作がなされると、サーバに当該ユーザの個人情報をサーバに要求し、その後、サーバから当該ユーザの個人情報を受信すると、当該個人情報をメモリ部に記録し、当該個人情報をデジタルコンテンツに埋め込み再生する機能を有している。なお、デジタルコンテンツの不正使用防止システムに用いられる再生用プログラムも同様の内容になっている。
【０００８】
デジタルコンテンツがヘッダ情報とデータ本体とを有し、ヘッダ情報に含まれるデータ本体を再生するのに不可欠な再生情報が欠落した状態でメモリ部又は記録媒体に記録されている場合、サーバは欠落させた再生情報が記録されたピースデータデータベースを有し、再生装置はユーザによりデジタルコンテンツの再生の申し込み操作がなされると、当該ユーザの個人情報及び当該デジタルコンテンツの再生情報をサーバに要求し、サーバは当該要求に応じて個人情報用データベースから当該ユーザの個人情報を読み出す一方、ピースデータデータベースから当該デジタルコンテンツの再生情報を読み出し、当該個人情報及び再生情報を同時又は相前後して再生装置に送信し、再生装置は当該個人情報及び再生情報を受信してメモリ部に記録し、当該再生情報とデジタルコンテンツのヘッダ情報とを用いて当該デジタルコンテンツのデータ本体を再生するに当たり、メモリ部上の個人情報を当該データ本体に埋め込み再生するようになっていることが好ましい。
【０００９】
この場合、デジタルコンテンツの不正使用防止システムに用いられる再生装置は、ユーザによりデジタルコンテンツの再生の申し込み操作がなされると、当該ユーザの個人情報及び当該デジタルコンテンツの再生情報をサーバに要求し、その後、サーバから当該個人情報及び再生情報を同時又は相前後して受信すると、当該個人情報及び再生情報をメモリ部に記録し、当該再生情報とデジタルコンテンツのヘッダ情報とを用いて当該デジタルコンテンツのデータ本体を再生するに当たり、メモリ部上の個人情報を当該データ本体に埋め込み再生する機能を有している。なお、デジタルコンテンツの不正使用防止システムに用いられる再生用プログラムも同様の内容になっている。
【００１０】
デジタルコンテンツがヘッダ情報とデータ本体とを有し、データ本体の一部が欠落した状態でメモリ部又は記録媒体に記録されている場合には、サーバは欠落させたデータ本体の一部及び当該データ本体の一部がデータ本体のどの部分であるかを示す位置情報が記録されたピースデータデータベースを有し、再生装置はユーザによりデジタルコンテンツの再生の申し込み操作がなされると、当該ユーザの個人情報、当該デジタルコンテンツのデータ本体の一部及びその位置情報をサーバに要求し、サーバは当該要求に応じてデータベースから当該ユーザの個人情報を読み出す一方、ピースデータデータベースから当該デジタルコンテンツのデータ本体の一部及びその位置情報を読み出し、当該個人情報、データ本体の一部及びその位置情報を同時又は相前後して再生装置に送信し、再生装置は当該個人情報、データ本体の一部及びその位置情報を受信してメモリ部に記録し、当該個人情報をデジタルコンテンツのデータ本体に埋め込み再生するに当たり、メモリ部上の位置情報を参照して前記データ本体の欠落部分を認識し、メモリ部上のデータ本体の一部を当該欠落部分のデータとして読み出して再生するようになっていることが好ましい。
【００１１】
この場合、デジタルコンテンツの不正使用防止システムに用いられる再生装置は、ユーザによりデジタルコンテンツの再生の申し込み操作がなされると、当該ユーザの個人情報、当該デジタルコンテンツのデータ本体の一部及びその位置情報をサーバに要求し、その後、サーバから当該個人情報、データ本体の一部及びその位置情報が同時又は相前後して受信すると、当該個人情報、データ本体の一部及びその位置情報をメモリ部に記録し、当該個人情報をデジタルコンテンツのデータ本体に埋め込み再生するに当たり、メモリ部上の位置情報を参照して前記データ本体の欠落部分を認識し、メモリ部上のデータ本体の一部を当該欠落部分のデータとして読み出して再生する機能を有している。
【００１２】
サーバは、再生装置を通じたユーザ登録によりユーザの個人情報を取得し、個人情報用データベースに記録するようになっている。或いは、サーバは  再生装置のユーザの個人情報を取得するための個人情報取得用プログラムが記録された個人情報取得用データベースを有しており、当該個人情報取得用プログラムを再生装置に送信し、再生装置が当該個人情報取得用プログラムを処理することによりメモリ部上の個人情報を読み出してサーバに送信し、サーバが当該個人情報をデータベースに記録するようになっている。
【００１３】
再生用プログラムに個人情報取得用プログラムの内容が含まれている場合には、当該再生用プログラムが再生装置のメモリ部にインストールされると、再生装置により再生用プログラムに含まれる個人情報取得用プログラムの内容部分が処理され、これにより再生装置がメモリ部上の個人情報を読み出してサーバに送信する内容になっている。
【００１４】
本発明のデジタルコンテンツの再生装置は、メモリ部又は記録媒体に記録したデジタルコンテンツを再生する装置であって、メモリ部にユーザの個人情報が予め記録されており、ユーザによりデジタルコンテンツの再生操作がなされると、メモリ部からユーザの個人情報を読み出し、当該個人情報をデジタルコンテンツに埋め込み再生するようになっている。
【発明の効果】
【００１５】
本発明の請求項１に係るデジタルコンテンツの不正使用防止システムによる場合、再生装置はデジタルコンテンツを再生するに当たり、サーバからユーザの個人情報を取得し、この個人情報をデジタルコンテンツに埋め込み再生するようになっている。即ち、再生中のデジタルコンテンツに個人情報が透かし情報として埋め込まれるので、ユーザによりデジタルコンテンツが不正コピーされたとしても、最初の不正コピー者を特定することができる。よって、ユーザの不正コピーを効果的に抑止することができ、これによりデジタルコンテンツの不正使用を防止することが可能になる。また、デジタルコンテンツを再生する際に、当該デジタルコンテンツに個人情報を埋め込むようにしたことから、すでに販売されたデジタルコンテンツについても個人情報を埋め込むことができる。よって、販売されてたデジタルコンテンツの不正使用も防止することが可能になる。
【００１６】
本発明の請求項２に係るデジタルコンテンツの不正使用防止システムによる場合、デジタルコンテンツがそのヘッダ情報に含まれる再生情報が欠落している。よって、再生装置でデジタルコンテンツを再生するに当たり、真正の使用者として再生情報をサーバから得ない限りデジタルコンテンツを再生することができない。これにより、デジタルコンテンツの一時的な不正使用を防止することができる。特に、再生情報をデジタルコンテンツのデータ本体と別の場所に記録するようにすれば、デジタルコンテンツのデットコピーを防止することができる。しかも、再生中のデジタルコンテンツには個人情報が埋め込まれることから、再生中のデジタルコンテンツをアナログコピーしたとしても、不正コピーをした者を特定することができる。これによっても、デジタルコンテンツの不正使用を防止することができる。
【００１７】
本発明の請求項３に係るデジタルコンテンツの不正使用防止システムによる場合、デジタルコンテンツがそのデータ本体の一部が欠落している。よって、再生装置でデジタルコンテンツを再生するに当たり、真正の使用者としてデータ本体の一部をサーバから得ない限り完全な状態でデジタルコンテンツを再生することができない。これにより、デジタルコンテンツの一時的な不正使用を防止することができる。特に、データ本体の一部をデジタルコンテンツのデータ本体と別の場所に記録するようにすれば、デジタルコンテンツのデットコピーを防止することができる。しかも、再生中のデジタルコンテンツには個人情報が埋め込まれることから、再生中のデジタルコンテンツをアナログコピーしたとしても、後日不正コピーをした者を特定することができる。これによっても、デジタルコンテンツの不正使用を防止することができる。
【００１８】
本発明の請求項４に係るデジタルコンテンツの不正使用防止システムに用いられる再生装置及び請求項７に係るデジタルコンテンツの不正使用防止システムに用いられる再生用プログラムによる場合、請求項１と同様の効果を奏する。
【００１９】
本発明の請求項５に係るデジタルコンテンツの不正使用防止システムに用いられる再生装置及び請求項８に係るデジタルコンテンツの不正使用防止システムに用いられる再生用プログラムによる場合、請求項２と同様の効果を奏する。
【００２０】
本発明の請求項６に係るデジタルコンテンツの不正使用防止システムに用いられる再生装置及び請求項９に係るデジタルコンテンツの不正使用防止システムに用いられる再生用プログラムによる場合、請求項３と同様の効果を奏する。
【００２１】
本発明の請求項１０に係るデジタルコンテンツの不正使用防止システムによる場合、サーバが再生装置を通じたユーザ登録の際にユーザの個人情報を取得して個人情報用データベースに記録するようにしているので、個人情報を簡単に得ることができる。
【００２２】
本発明の請求項１１に係るデジタルコンテンツの不正使用防止システムによる場合、個人情報取得用プログラムを再生装置に処理させ、当該再生装置にメモリ部上の個人情報を読み出してサーバに送信させるようにしたので、ユーザ登録の際にユーザが嘘の個人情報を登録したとしても、真のユーザの個人情報を得ることができる。よって、デジタルコンテンツの不正使用を防止する上でメリットがある。
【００２３】
本発明の請求項１２に係るデジタルコンテンツの不正使用防止システムに用いられる再生用プログラムによる場合、再生用プログラムに個人情報取得用プログラムが含まれており、当該再生用プログラムを再生装置のメモリ部にインストールする際に、再生装置に個人情報取得用プログラムの内容部分を処理させ、これにより当該再生装置にメモリ部上の個人情報を読み出してサーバに送信させるようにしている。よって、ユーザの真の個人情報を得るに当たり、個人情報取得用プログラム等の専用のプログラムを再生装置に送信する必要がないので、非常に便利である。
【００２４】
本発明の請求項１３に係るデジタルコンテンツの再生装置による場合、デジタルコンテンツを再生するに当たり、デジタルコンテンツにメモリ部上の個人情報を埋め込み再生するようになっている。即ち、個人情報がデジタルコンテンツの透かし情報として埋め込まれるので、ユーザによりデジタルコンテンツが不正コピーされたとしても、最初の不正コピー者を特定することができる。よって、ユーザの不正コピーを効果的に抑止することができ、これによりデジタルコンテンツの不正使用を防止することが可能になる。また、デジタルコンテンツを再生する際に、当該デジタルコンテンツに個人情報を埋め込むようにしたことから、すでに販売されたデジタルコンテンツについても個人情報を埋め込むことができる。よって、販売されてたデジタルコンテンツの不正使用も防止することが可能になる。
【発明を実施するための最良の形態】
【００２５】
以下、本発明のデジタルコンテンツの不正使用防止システムを説明する。
【実施例１】
【００２６】
まず、本発明の第１の実施の形態に係るデジタルコンテンツの不正使用防止システムについて図面を参照しながら説明する。図１は本発明の第１の実施の形態に係るデジタルコンテンツの不正使用防止システムのブロック図、図２は同システムに用いられる再生用プログラムのフローチャート、図３は同管理センタの制御部により処理されるデータ送信用割込プログラムのフローチャートである。
【００２７】
図１に示すデジタルコンテンツの不正使用防止システム１００は、記録媒体αに記録したデジタルコンテンツを再生する再生装置１１０と、この再生装置１１０と通信回線βを介して接続されたサーバ１２０とを備えている。以下、詳しく説明する。
【００２８】
通信回線βについては光通信回線等のデジタル回線や電話回線等のアナログ回線であり、これを用いて再生装置１１０とサーバ１２０との間で相互通信を行うようにしている。
【００２９】
記録媒体αはＣＤ、ＤＶＤ等の一般的な記録媒体である。記録媒体α上のデジタルコンテンツは、ヘッダ情報ａと、暗号化されたデータ本体ｂとを有しており、ヘッダ情報ａに含まれるデータ本体ｂを再生するのに不可欠な再生情報が欠落した状態で記録されている。データ本体ｂは音楽、動画、静止画、テキスト、ゲーム又はソフトウエア等のデータである。ヘッダ情報ａはデータ本体ｂに割り当てられたコンテンツＩＤや再生情報が格納されたサーバ１２０のＷＥＢアドレスの情報等のコンテンツ情報等を有している。再生情報はデータ本体ｂの最初に読み込むべきセクタのアドレス値や当該データ本体ｂの大きさ等を示すデータのことである。
【００３０】
サーバ１２０は、データ本体ｂに含められた著作物の著作権者等との間の契約の下、記録媒体α上のデジタルコンテンツのデータ本体ｂをユーザにレンタルさせる一方、そのレンタル使用料をユーザから回収するという事業を行う者が運営する管理サーバである。具体的には、サーバ１２０は再生装置１１０の要求に応じて課金を条件として再生情報及び個人情報を再生装置１１０に送信するサーバである。
【００３１】
図中１２１は欠落させた再生情報が暗号化された状態で記録されたピースデータＤＢ、１２２はコンピュータ等の制御部、１２３は通信を行うための通信部、１２４はユーザのユーザ情報が記録される他、これに基づく認証や課金等の情報が順次記録されるユーザ情報ＤＢ( これが個人情報用データベースである。) 、１２５は再生用プログラムであり、デジタルコンテンツのデータ本体ｂを再生する再生用プレーヤとしての内容を有するソフトウエアが予め記録されたソフトウエアＤＢ、１２６はハードディスク等のメモリ部である。
【００３２】
ピースデータＤＢ１２１上の再生情報には対応するデジタルコンテンツを示すコンテンツＩＤが付加されている。このようにコンテンツＩＤを用いて記録媒体α上のデジタルコンテンツとピースデータＤＢ１２１上の再生情報との対応関係を一致させるようにしている。同様にユーザ情報ＤＢ１２４上のユーザ情報には対応するユーザのユーザＩＤ及びプレーヤＩＤが付加されている。このようにユーザＩＤ又はプレーヤＩＤを用いてユーザ情報ＤＢ２４０における各ユーザとユーザ情報との対応関係を一致させるようにしている。なお、ユーザ情報にはユーザが再生装置１１０を通じてユーザ登録する際に得られる登録情報と、再生装置１１０の制御部１１１が再生用プログラムに含まれる個人情報取得用プログラムを処理することにより送信された情報をユーザ情報ＤＢに記録した個人情報とがある。この個人情報は暗号化された状態で記録される。
【００３３】
メモリ部１２６にはサーバとしてのオペレーションシステム等の基本プログラム以外に、図示しないユーザ登録割込プログラム、図示しない再生用プログラムダウンロード用割込プログラム、図示しない個人情報記録用割込プログラム、図３に示す再生情報及び後述する個人情報を配信するためのデータ送信用割込プログラム等が記録されている。これらのプログラムの内容については後述するが、同プログラムが制御部１２２で処理されることより、同サーバが管理センタとしての機能を発揮するようになっている。また、メモリ部１２６には、ユーザー登録処理に必要なデータや再生申込処理に必要なデータが記録されている。更に、メモリ部１２６には、再生情報及び記録媒体α上のデジタルコンテンツを復号化するのに必要な復号鍵が記録される。
【００３４】
サーバ１２０は、再生情報及び個人情報を再生装置１１０に送信する前に、ユーザＩＤ及びパスワードの確認( 即ち、認証) を行う他、プレーヤＩＤが一致するか否かも含めて確認することから、プレーヤＩＤは不正使用防止にも役立つことになる。
【００３５】
再生装置１１０はユーザが使用する汎用のコンピュータである。図中１１１はＣＰＵ等の制御部、１１２はモニタやスピーカ等の出力部、１１３はキーボードやマウス等の操作部、１１４は記録媒体α等に対してデータのリード／ライトを行う再生複写部、１１５はハードディスク等のメモリ部、１１６は通信を行うための通信部である。
【００３６】
メモリ部１１５にはコンピュータとしてのオペレーションシステム等の基本プログラム以外に、図２に示す再生用プログラムが記録されている。この再生用プログラムはユーザ登録を条件としてサーバ１２０から通信回線βを通じてダウンロードされた有償又は無償のソフトウエアであって、記録媒体α上のデジタルコンテンツを再生するのに必要なアプリケーションソフトである。また、メモリ部１１５には再生用プログラムに割り当てられたプレーヤＩＤが当該再生用プログラムと共にサーバ１２０から送信され、記録される。更に、メモリ部１１５にはサーバ１２０から送信された再生情報等が記録される他、再生情報の送信日時やレンタル期間などを示すレンタル情報が記録される。
【００３７】
再生用プログラムの詳しい内容については後述するが、同プログラムが制御部１１１で処理されることより、同コンピュータが再生装置１１０としての機能を発揮するようになっている。また、再生用プログラムには、メモリ部１１５に記録されたメールアドレス、ＣＰＵナンバ、ハードディスクナンバ等をユーザの個人情報を読み取りサーバ１２０に送信する個人情報取得用プログラムの内容が付加されている。この個人情報取得用プログラムは、再生用プログラムがメモリ部１１５にインストールされると、再生装置１１０の制御部１１１に処理され、これによりユーザの個人情報をメモリ部１１５から読み出してサーバ１２０に送信する内容となっている。
【００３８】
即ち、再生装置１１０は、ユーザによりデジタルコンテンツの再生の申し込み操作がなされると、当該ユーザの個人情報及び当該デジタルコンテンツの再生情報をサーバ１２０に要求し、その後、サーバ１２０から当該個人情報及び再生情報を受信すると、当該個人情報及び再生情報をメモリ部１１５に記録し、当該再生情報とデジタルコンテンツのヘッダ情報ａとを用いて当該デジタルコンテンツのデータ本体ｂを再生するに当たり、メモリ部１１５上の個人情報を電子透かし技術を用いて透かし情報として当該データ本体ｂに埋め込み再生する機能を有した構成となっている。
【００３９】
ここで用いる電子透かし技術は周知の電子透かしである。例えば、デジタルコンテンツのデータの一部を変更して個人情報をデジタルコンテンツに埋め込むもの、画像や音声データの冗長性を利用して個人情報をデジタルコンテンツに埋め込むもの、人間の生理学的特徴を利用して個人情報をデジタルコンテンツに埋め込むもの等を用いることができる。個人情報は暗号化された状態のままをデジタルコンテンツに埋め込まれ、所定の方法で検出する際に復号化される。
【００４０】
このように構成されたデジタルコンテンツの不正使用防止システム１００の動作について説明し、併せて再生用プログラムの内容、再生装置１１０及びサーバ１２０の動作について説明する。
【００４１】
まず、ユーザが自己のコンピュータ（再生装置１１０に相当するコンピュータであり、図２に示す再生用プログラムがダウンロードされていない状態）の操作部１１３を操作して通信回線βを介してサーバ１２０にアクセスし、ユーザ登録の要求を行う。サーバ１２０は、この要求に応じてユーザ登録用割込プログラムを処理し、ユーザ登録に必要なデータを前記コンピュータに向けて送信する。その後、ユーザが前記コンピュータの操作部１１３を通じてユーザ登録用画面が示すところに従って氏名、住所及び支払条件「自己の銀行口座番号又はクレジットカード番号等」等を入力し、この登録データを通信回線βを介してサーバ１２０に送信する。すると、サーバ１２０は、これに応じてユーザＩＤやパスワードを作成し、当該ユーザＩＤ等を登録データと共に登録情報としてユーザ情報ＤＢ１２４に登録する一方、当該ユーザＩＤやパスワードを通信回線βを介してユーザのコンピュータに送信する。なお、ユーザＩＤやパスワードはユーザ登録の際にユーザ自身に入力させるようにしても良い。
【００４２】
その後、ユーザが自己のコンピュータを操作して、サーバ１２０にアクセスし、再生用プログラムのダウンロードの要求を入力する。この際、ユーザＩＤやパスワードが必要になる。すると、ユーザのコンピュータは、その要求を通信回線βを通じてサーバ１２０に送信する。サーバ１２０は、この要求を受けて再生用プログラムダウンロード用割込プログラムを処理し、これによりソフトウエアＤＢ１２５上の再生用プログラムを読み出す一方、プレーヤＩＤを作成し、再生用プログラム及びプレーヤＩＤを通信回線βを介してユーザのコンピュータに送信する。このとき、プレーヤＩＤはユーザ情報ＤＢ１２４に登録される。再生用プログラムは同コンピュータのメモリ部２１５にダウンロードされると、再生装置１１０の制御部１１１に処理され、メモリ部１１５にインストールされる。と同時にプレーヤＩＤがメモリ部１１５に記録される。これにより同コンピュータが再生装置２２０となるのである。
【００４３】
再生装置１１０は、再生用プログラムがインストールされると、当該再生用プログラムに含まれる個人情報取得用プログラムを処理し、これによりメモリ部１１５上の個人情報を読み出しユーザＩＤやプレーヤＩＤと共にサーバ１２０に送信する。
【００４４】
サーバ１２０は個人情報を受信すると、図示しない個人情報記録割込プログラムを処理する。これにより、個人情報が暗号化され、ユーザＩＤやプレーヤＩＤを参照してユーザ情報ＤＢ１２４に記録される。このようにユーザの個人情報を取得するようにすれば、ユーザがユーザ登録の際に嘘の個人情報を登録したとしても、真の個人情報を得ることができる。
【００４５】
この再生装置１１０は、ユーザにより記録媒体αが再生複写部１１４にセットされる一方、再生用プログラムが実行されると、再生用プレーヤを出力部１１２に表示出力する。すると、再生用プレーヤの画面上にレンタル中のコンテンツを示すプレイリストが表示される（ｓ１）。即ち、再生の申込がされたことを示す所定のフラグが立っているデジタルコンテンツをプレイリストに表示する。そして、このプレイリストに基づき操作部１１３を通じて再生操作がなされたか否かを判定する( ｓ２) 。
【００４６】
再生操作がなされていないと判定すると、操作部１１３を通じて記録媒体αの読み込みの操作( ＤＩＳＣ  ＬＯＡＤの操作) がなされたか否かを判定する（ｓ３）。ＤＩＳＣ  ＬＯＡＤの操作がなされると、再生の申し込みがされていないデジタルコンテンツを示すコンテンツリストを出力部１１２に表示出力する（ｓ４）。即ち、記録媒体α上のデジタルコンテンツのヘッダ情報ａを読み出し、当該ヘッダ情報ａに含まれるコンテンツ情報を読み出し、記録媒体α上のデジタルコンテンツのうち所定のフラグが立っていないデジタルコンテンツをコンテンツリストに表示する。
【００４７】
その後、ユーザによりコンテンツリスト上のデジタルコンテンツの再生の申し込みがなされると、記録媒体α上の当該デジタルコンテンツのヘッダ情報ａを読み出し、当該ヘッダ情報ａに含まれるコンテンツ情報を読み出す。そして、当該コンテンツ情報に含まれるＷＥＢアドレスに基き当該コンテンツ情報に含まれるコンテンツＩＤを通信回線βを介してサーバ１２０に送信する。このようにして再生申込処理を行う旨を送信する。
【００４８】
すると、サーバ１２０は図３に示すデータ送信用割込プログラムを処理する。そして、メモリ部１２６から再生申込処理に必要なデータを読み出し、通信回線βを介して再生装置１１０に送信する( ｓ２１) 。再生装置１１０は、このデータに基づいて再生申込用画面を出力部１１２に表示出力する（ｓ５）。
【００４９】
その後、ユーザが再生申込用画面が示すところに従ってレンタル期間を操作部１１３を通じて順次入力又は選択( これによりレンタル金額が決まる) し、最後にユーザＩＤやパスワードを記録媒体αの再生申し込みとして操作部１２３を通じて入力すると（ｓ６）、再生装置１１０は、出力部１１２の表示出力を認証画面に切り換える一方、入力された申し込みデータを通信回線βを介してサーバ１２０に送信する。この際、記録媒体α上のヘッダ情報ａのコンテンツ情報に含まれるコンテンツＩＤ及びメモリ部１１５上のユーザＩＤ、プレーヤＩＤを読み出し、申し込みデータと一緒にサーバ１２０に送信する（ｓ７）。
【００５０】
すると、サーバ１２０は、申し込みに係るユーザの認証を確認する( ｓ２２) 。即ち、送信されたユーザのユーザＩＤやプレーヤＩＤ等を参照してユーザ情報ＤＢ１２４から当該ユーザの登録情報を読み出し、当該ユーザが真正のユーザであるか否かを確認する。このとき、サーバ１２０は、ユーザ情報ＤＢ１２４にレンタル料金の不払い等が所定以上ある不適当者リストが予め用意されており、当該認証と共に不適当者リストに該当する者でないか否かを確認する( この不適当者リストの確認は任意である) 。
【００５１】
サーバ１２０は、申し込みに係るユーザが不正なユーザである又は真正のユーザであるものの不適当者リストに該当する者であると確認した場合、ユーザの申し込みを拒否する旨を通信回線βを介して再生装置１１０に送信する( ｓ２３) 。そして、データ送信用割込プログラムを処理を終了する。
【００５２】
一方、申し込みに係るユーザが真正のユーザであり且つ不適当者リストに該当しない者であることを確認した場合、ユーザのプレーヤＩＤ等を参照して当該ユーザのユーザ情報ＤＢ１２４上のユーザ情報に課金を記録する。そして、コンテンツＩＤを参照してピースデータＤＢ１２１を検索し当該コンテンツＩＤに対応する再生情報を読み出す一方、ユーザのプレーヤＩＤ等を参照してユーザ情報ＤＢ１２４から当該ユーザの個人情報を読み出し、再生情報及び個人情報を申し込みデータに含まれるレンタル期間等を示すレンタル情報と共にユーザの申し込みを承諾する旨の回答として通信回線βを介して再生装置１１０に送信すると共に、メモリ部１２６から復号鍵を読み出し、再生装置１１０に向けて送信する( ｓ２４) 。そして、データ送信用割込プログラムを処理を終了する。
【００５３】
なお、課金については、所定期間毎にユーザ情報ＤＢ１２４のユーザ情報に基いて集計し、銀行・カード会社に請求するか若しくは、ユーザに直接請求してユーザに振込やコンビニエンスストア等で支払いをさせるようにする。まだ、サーバ１２０が銀行・カード会社と通信回線βを介して接続されている場合には、即時決済とすることももちろん可能である。
【００５４】
再生装置１１０は、その後、通信回線βを介してユーザの申し込みを拒否する旨を受信すると（ｓ８）、エラーメッセージを出力部１２２に表示出力する（ｓ９）。一方、通信回線βを介して再生情報等を受信すると（ａ８）、所定のフラグを立てる一方、再生情報、個人情報、復号鍵及びレンタル情報をメモリ部１１５に記録する（ｓ１０）。と同時に、コンピュータの時計機能を用いて再生情報のデータ送信日時をメモリ部１１５に記録する。そして、プレイリストを更新して出力部１１２に表示出力し、当該プレイリスト中に再生情報を得たデジタルコンテンツのファイル名を表示させる( ｓ１) 。
【００５５】
その後、再生装置１１０は、操作部１１３を通じてプレイリストに基づきデジタルコンテンツの再生操作がなされると（ｓ２）、メモリ部１１５から再生情報を読み出して当該メモリ部１１５上の復号鍵で当該再生情報を復号化する。そして、当該再生情報に基いて記録媒体αから当該デジタルコンテンツに係るデータ本体ｂを読み出してメモリ部１１５上の復号鍵で復号する一方、メモリ部１１５から個人情報を読み出し、電子透かし技術を用いて当該個人情報をデータ本体ｂに埋め込みつつ再生する( ｓ１１) 。この再生用プログラムはユーザにより終了の処理が行われることにより終了する。
【００５６】
また、再生用プログラムには、上述した基本機能の他、再生装置１１０の電源がＯＮにされると、再生装置１１０に常駐し、再生情報の管理を行うデータ管理機能を有している。このピースデータ管理機能においては、メモリ部１１５上の再生情報の管理を行う一方、再生情報のデータ送信日時と現在の日時との差を再生情報等が送信された時点からの経過期間として求め、これがレンタル情報に含まれるレンタル期間に達しているときはレンタル期間外であるとしてメモリ部１１５上の再生情報、復号鍵及び個人情報を削除する一方、所定のフラグを倒すようになっている。
【００５７】
このようなシステム１００においては、再生中のデジタルコンテンツに真の個人情報が透かし情報として埋め込まれるので、ユーザによりデジタルコンテンツが不正コピーされたとしても、最初の不正コピー者を特定することができる。よって、ユーザの不正コピーを効果的に抑止することができ、これによりデジタルコンテンツの不正使用を防止することが可能になる。
【００５８】
また、記録媒体α上のデジタルコンテンツはヘッダ情報ａに含まれる再生情報が欠落していることから、当該デジタルコンテンツを単純にコピーしたとしても当該デジタルコンテンツを再生することができない。このデジタルコンテンツを再生するには、真正の再生の申込者としてサーバ１２０から再生情報を得なることが必要になることから、記録媒体α上のデジタルコンテンツの一時的な不正使用を防止することができる。しかも、レンタル期間が過ぎたものについては、再生情報が削除されるので、記録媒体αをコピーしたとしても当該記録媒体α上のデジタルコンテンツを再生することができない。よって、二次的、三次的な不正使用を防止することができる。
【００５９】
しかも、コピーしたデジタルコンテンツを再生するためには、再生装置１１０を使用して、サーバ１２０に対する認証及びレンタル使用料の支払いが必要になるので、ここに二次的、三次的使用による課金の回収を確実に行うことが可能になる。
【実施例２】
【００６０】
次に、本発明の第２の実施の形態に係るデジタルコンテンツの不正使用防止システムを図面を参照しながら説明する。図４は本発明の第２の実施の形態に係るデジタルコンテンツの不正使用防止システムのブロック図、図５は同システムに用いられる再生用プログラムのフローチャート、図６は同システムに用いられるデータ送信割込プログラムのフローチャートである。
【００６１】
図４に示すデジタルコンテンツの不正使用防止システム２００は、デジタルコンテンツの不正使用防止システム１００と同様の構成であり、デジタルコンテンツをサーバ２２０から再生装置２１０にダウンロードするようになっている点で異なっている。以下、その相違点について詳しく説明し、重複する部分については説明を省略する。
【００６２】
サーバ２２０は、デジタルコンテンツがヘッダ情報ａに含まれる再生情報が欠落した状態で記録されたコンテンツＤＢ２２７を有している。即ち、サーバ２２０は、再生情報及び個人情報だけでなく、デジタルコンテンツのデータ本体ｂ自体も再生装置１１０の要求に応じて再生装置１１０に送信するようになっている。コンテンツＤＢ２２７上のデジタルコンテンツには、コンテンツＩＤが付されている。これによりコンテンツＤＢ２２７上のデジタルコンテンツとピースデータＤＢ２２１上の再生情報との対応関係を一致させるようにしている。メモリ部２２６には、再生情報及びデジタルコンテンツを復号化するのに必要な復号鍵が記録されている。
【００６３】
以下、デジタルコンテンツの不正使用防止システム２００の動作について説明し、併せて再生用プログラムの内容、再生装置２１０及びサーバ２２０の動作について説明する。      
【００６４】
まず、実施例１と同じ手順でユーザ登録が行われている。そして、再生装置２１０のメモリ部２１５には、実施例１と同様の手順で再生用プログラムがインストールされている。サーバ２２０は再生装置２１０の制御部２１１により再生用プログラムに含まれる個人情報取得用プログラムが処理されることにより送信された個人情報を暗号化し、ユーザ情報ＤＢ１２４に記録している。
【００６５】
次に、デジタルコンテンツを取得するに当たり、再生装置２１０は、ユーザの操作部２２３を通じた操作に応じてサーバ２２０のコンテンツダウンロード用アドレスにアクセスする。すると、サーバ２２０はコンテンツダウンロード用割込プログラムを処理する。そして、デジタルコンテンツリストのデータを再生装置２１０に送信する。再生装置２１０は、このデータに基づいてデジタルコンテンツリストを出力部２１２に表示出力する。なお、サーバ２２０にアクセスするに際には、再生用プログラムを実行した後、当該プログラムと共に記録されたＷＥＢアドレスに基いてアクセスしても良いし、ユーザがインターネットブラウザに登録したＷＥＢアドレスに基いてアクセスしても良い。
【００６６】
その後、ユーザが操作部２１３を通じてデジタルコンテンツリストからダウンロードするデジタルコンテンツを選択する。すると、選択したデジタルコンテンツのダウンロードの申込のデータをサーバ２２０に送信する。
【００６７】
サーバ２２０は、この申込のデータを受信すると、これに含まれるコンテンツＩＤを参照して当該コンテンツＩＤに対応するデジタルコンテンツをコンテンツＤＢ２２７から検索して読み出し、そして再生装置２１０に送信する。再生装置２１０は、当該デジタルコンテンツを受信すると、メモリ部２１５のレジストリ又は再生複写部２１４にセットされた記録媒体に記録する。と同時に、当該デジタルコンテンツのファイル名がメモリ部２１５上の再生用プログラムのプレイリストに記録される。このようにしてデジタルコンテンツを取得する。再生装置２１０は、デジタルコンテンツの記録が完了すると、完了した旨をサーバ２２０に送信する。すると、サーバ２２０はメモリ部２２６から復号鍵を読み出して再生装置２１０に送信する。再生装置２１０は復号鍵を受信してメモリ部２１５に記録する。なお、デジタルコンテンツのダウンロードについてはサーバ２２０と通信回線βを介して接続された他のコンピュータで取得し、記録媒体に記録しても良い。
【００６８】
その後、この再生装置２１０は、ユーザにより再生用プログラムが実行される( デジタルコンテンツを記録媒体に記録した場合には再生用プログラムが実行される一方で当該記録媒体が再生複写部２１４にセットされる。) と、再生用プレーヤを出力部２１２に表示出力する。すると、再生用プレーヤの画面上にプレイリストが表示される（ｓ１）。このプレイリストにはダウンロードしたデジタルコンテンツのファイル名と共に、当該デジタルコンテンツがレンタル中であるか否かが表示される。即ち、再生の申込がされたことを示す所定のフラグが立っているデジタルコンテンツがレンタル中であるとして表示される。そして、このプレイリストに基づき操作部２２３を通じてレンタル中のデジタルコンテンツが再生操作されたか否かを判定する( ｓ２) 。
【００６９】
再生操作がなされていないと判定すると、操作部２１３を通じてプレイリストに表示されたレンタル中でないデジタルコンテンツの再生の申し込み操作されたか否かを判定する( ｓ３) 。その結果、再生の申し込み操作がなされていないと判定すると、操作部２１３を通じて記録媒体の読み込みの操作( ＤＩＳＣ  ＬＯＡＤの操作) がなされたか否かを判定する（ｓ４）。ＤＩＳＣ  ＬＯＡＤの操作がなされると、プレイリストに記録されていない記録媒体上の( 即ち、他のコンピュータ等で記録媒体上にダウンロードした) デジタルコンテンツを示すコンテンツリストを出力部２１２に表示出力する（ｓ５）。即ち、記録媒体上のデジタルコンテンツのヘッダ情報ａを読み出してメモリ部２１５上の復号鍵で復号化し、当該ヘッダ情報ａに含まれるコンテンツ情報を読み出し、記録媒体上のデジタルコンテンツのうち所定のフラグが立っていないデジタルコンテンツをコンテンツリストに表示する。
【００７０】
その後、ユーザによりプレイリスト上のレンタル中でないデジタルコンテンツ又はコンテンツリスト上のデジタルコンテンツの再生の申し込みがなされると( ｓ３又はｓ６) 、メモリ部２１５又は記録媒体上の当該デジタルコンテンツのヘッダ情報ａを読み出してメモリ部２１５上の復号鍵で復号化し、これに含まれるコンテンツ情報のＷＥＢアドレスに基き当該コンテンツ情報に含まれるコンテンツＩＤを通信回線βを介してサーバ２２０に送信する。このようにして再生申込処理を行う旨を送信する。
【００７１】
すると、サーバ２２０は図６に示すデータ送信用割込プログラムを処理し、再生申込処理に必要なデータを通信回線βを介して再生装置２１０に送信する( ｓ２１) 。再生装置２１０は、このデータに基づいて再生申込用画面を出力部２１２に表示出力する（ｓ７）。
【００７２】
その後、ユーザが再生申込用画面が示すところに従ってレンタル期間を操作部２１３を通じて順次入力又は選択( これによりレンタル金額が自動的に決まる) し、最後にユーザＩＤやパスワードをデジタルコンテンツの再生申し込みとして操作部２１３を通じて入力すると（ｓ８）、再生装置２１０は、出力部２１２の表示出力を認証画面に切り換える一方、入力された申し込みデータを通信回線βを介してサーバ２２０に送信する。この際、メモリ部２１５又は記録媒体上のデジタルコンテンツのヘッダ情報ａを読み出してメモリ部２１５上の復号鍵で復号化し、これに含まれるコンテンツ情報のコンテンツＩＤを読み出す一方、当該メモリ部２１５上のプレーヤＩＤを読み出し、当該コンテンツＩＤ及びプレーヤＩＤを申し込みデータと一緒にサーバ２２０に送信する（ｓ９）。
【００７３】
すると、サーバ２２０は、申し込みに係るユーザの認証を確認する( ｓ２２) 。即ち、送信されたユーザのユーザＩＤやプレーヤＩＤ等を参照してユーザ情報ＤＢ２２４から当該ユーザのユーザ情報を読み出し、当該ユーザが真正のユーザであるか否かを確認する。このとき、サーバ２２０は、ユーザ情報ＤＢ２２４にレンタル料金の不払い等が所定以上ある不適当者リストが予め用意されており、当該認証と共に不適当者リストに該当する者でないか否かを確認する( なお、不適当者リストの確認は任意である) 。
【００７４】
サーバ２２０は、申し込みに係るユーザが不正なユーザである又は真正のユーザであるものの不適当者リストに該当する者であると確認した場合、ユーザの申し込みを拒否する旨を通信回線βを介して再生装置２１０に送信する( ｓ２３) 。その後、データ送信用割込プログラムを処理を終了する。
【００７５】
一方、申し込みに係るユーザが真正のユーザであり且つ不適当者リストに該当しない者であることを確認した場合、ユーザのプレーヤＩＤ等を参照して当該ユーザのユーザ情報ＤＢ２２４上のユーザ情報に課金を記録する。そして、コンテンツＩＤを参照してピースデータＤＢ２１６を検索し当該コンテンツＩＤに対応する再生情報を読み出す一方、プレーヤＩＤ等を参照してユーザ情報ＤＢ２２４の個人情報を読み出す。この再生情報及び個人情報を再生の申し込みデータに含まれるレンタル情報と共にユーザの申し込みを承諾する旨の回答として通信回線βを介して再生装置２１０に送信する( ｓ２４) 。その後、データ送信割込プログラムを処理を終了する。なお、課金の決算方法は実施例１と同様に行う。
【００７６】
再生装置２１０は、その後、通信回線βを介してユーザの申し込みを拒否する旨を受信すると（ｓ１０）、エラーメッセージを出力部２２２に表示出力する（ｓ１１）。
【００７７】
一方、通信回線βを介して再生情報、個人情報及びレンタル情報を受信すると（ｓ１０）、所定のフラグを立てる一方、再生情報、個人情報及びレンタル情報をメモリ部２１５に記録する（ｓ１２）。と同時に、コンピュータの時計機能を用いて再生情報のデータ送信日時をメモリ部２１５に記録する。そして、プレイリストを更新して出力部２１２に表示出力し、当該プレイリスト中に再生情報を得たデジタルコンテンツのファイル名を表示させる( ｓ１) 。
【００７８】
その後、再生装置２１０は、操作部２１３を通じてプレイリストに基づきレンタル中のデジタルコンテンツの再生操作がなされると（ｓ２）、メモリ部２１５上の再生情報を読み出してメモリ部２１５上の復号鍵で復号化する。そして、当該再生情報に基いてメモリ部２１５又は記録媒体から当該デジタルコンテンツに係るデータ本体ｂを読み出しメモリ部２１５上の復号鍵で復号する一方、メモリ部２１５から個人情報を読み出し、電子透かし技術を用いて当該個人情報をデータ本体ｂに埋め込みつつ再生する( ｓ１３) 。この再生用プログラムはユーザにより終了の処理が行われることにより終了する。
【００７９】
また、再生用プログラムには、上述した基本機能の他、再生装置２１０の電源がＯＮにされると、当該再生装置２１０に常駐し、再生情報の管理を行うピースデータ管理機能を有している。このピースデータ管理機能においては、メモリ部２１５上の再生情報の管理を行う一方、再生情報のデータ送信日時と現在の日時との差を再生情報が送信された時点からの経過期間として求め、これがレンタル情報に含まれるレンタル期間に達しているときはレンタル期間外であるとしてメモリ部２１５上の再生情報、復号鍵及び個人情報を削除する一方、所定のフラグを倒すようになっている。
【００８０】
このようなシステム２００においても、再生中のデジタルコンテンツに真の個人情報が透かし情報として埋め込まれるので、ユーザによりデジタルコンテンツが不正コピーされたとしても、最初の不正コピー者を特定することができる。よって、ユーザの不正コピーを効果的に抑止することができ、これによりデジタルコンテンツの不正使用を防止することが可能になる。
【００８１】
また、メモリ部２１５又は記録媒体に記録されたデジタルコンテンツにはヘッダ情報ａに含まれる再生情報が欠落していることから、当該デジタルコンテンツを単純にコピーしたとしても当該デジタルコンテンツを再生することができない。このデジタルコンテンツを再生するには、真正の再生の申込者としてサーバ２２０から再生情報を得なることが必要になることから、当該デジタルコンテンツの一時的な不正使用を防止することができる。しかも、レンタル期間が過ぎたものについては、再生情報が削除されるので、デジタルコンテンツをコピーしたとしても当該デジタルコンテンツを再生することができない。よって、二次的、三次的な不正使用を防止することができる。
【００８２】
しかも、コピーしたデジタルコンテンツを再生するためには、再生装置２１０を使用して、サーバ２２０に対する認証及びレンタル使用料の支払いが必要になるので、ここに二次的、三次的使用による課金の回収を確実に行うことが可能になる。
【００８３】
以上のようなデジタルコンテンツの不正使用防止システムは、メモリ部又は記録媒体に記録したデジタルコンテンツを再生する再生装置と、この再生装置と通信回線を介して接続されており且つ再生装置のユーザの個人情報が予め記録された個人情報用データベースを有するサーバとを備えており、再生装置は、ユーザによりデジタルコンテンツの再生操作がなされると、当該ユーザの個人情報をサーバに要求し、サーバは当該要求に応じて個人情報用データベースから当該要求に係るユーザの個人情報を読み出して再生装置に送信し、再生装置は当該個人情報を受信してメモリ部に記録し、当該個人情報をデジタルコンテンツに埋め込み再生するようになっている限りどのような設計変形を行ってもかまわない。
【００８４】
即ち、デジタルコンテンツは、データ本体ｂの不正使用を防ぐためヘッダ情報ａに含まれる再生情報が欠落していることが望ましいが、再生情報が欠落していないデジタルコンテンツを再生するに当たり、個人情報をデジタルコンテンツに埋め込み再生するようにしてもかまわない。この場合、デジタルコンテンツを再生するに当たり、サーバ１２０、２２０にユーザの個人情報のみを要求するようにすれば良い。このようにすれば、すでに販売されたデジタルコンテンツについても個人情報を埋め込むことができる。よって、販売されてたデジタルコンテンツの不正使用も防止することが可能になる。
【００８５】
また、デジタルコンテンツは、ヘッダ情報ａに含まれる再生情報ではなく、データ本体ｂの一部を欠落させることも可能である。この場合、サーバ１２０、２２０のピースデータＤＢ１２１、２２１には、データ本体ｂの一部と共に、データ本体ｂの一部がデータ本体ｂのどの部分であるかを示す位置情報を予め記録しておき、再生の申し込みに応じてデータ本体ｂの一部と共に位置情報を再生装置１１０、２１０に送信し、メモリ部１１５、２１５に記録させる。位置情報とは開始位置情報から欠落させたデータ本体ｂの一部までのデータ長や時間のことである。また、データ本体ｂは、最初の部分に当該データ本体ｂの開始位置を示す開始位置情報を記録しておく。
【００８６】
当該デジタルコンテンツのデータ本体ｂは再生装置１１０、２１０で次のように再生される。即ち、ヘッダ情報ａに含まれる再生情報を用いてメモリ部１１５、２１５又は記録媒体α上のデータ本体ｂを読み出す一方、メモリ部１１５、２１５から個人情報を読み出し、電子透かし技術を用いて当該個人情報をデータ本体ｂに埋め込みつつ再生する。と共に、メモリ部１１５、２１５又は記録媒体α上のデータ本体ｂの開始位置情報を読み出す一方、メモリ部１１５、２１５上の位置情報を読み出し、開始位置情報から位置情報までのデータ長や時間のカウントを開始する。その後、前記カウントが終了すると、データ本体ｂの欠落部分であると認識し、メモリ部１１５、２１５上のデータ本体ｂの一部を当該データ本体ｂの欠落部分のデータとして読み出して再生する。その後、再びメモリ部１１５、２１５又は記録媒体α上のデータ本体ｂを読み出す一方、メモリ部１１５、２１５から個人情報を読み出し、電子透かし技術を用いて当該個人情報をデータ本体ｂに埋め込みつつ続きの再生を行う。
【００８７】
位置情報については、開始位置情報から欠落させたデータ本体ｂの一部までのデータ長や時間ではなく、欠落部分を示すアドレス値等とすることもできる。この場合、次に読み出すべきデータ本体ｂのアドレス値と位置情報とが一致するか否かを逐次判定し、この判定の結果、一致しないと判定したときには前記アドレス値の示すデータ本体ｂを読み出す一方、一致すると判定したときにはメモリ部１１５、２１５上のデータ本体ｂの一部を読み出すようにすると良い。
【００８８】
また、データ本体ｂの欠落部分の前に欠落部分であることを示す欠落位置情報を予め記録しておき、データ本体ｂを再生すると共に、開始位置情報から欠落位置情報までをカウントし、このカウントが終了すると、データ本体ｂの一部を当該欠落部分のデータとして再生することもできる。或いは、予めデータ本体ｂの欠落部分の位置を決定しておくと共に、再生用プログラムに欠落させたデータ本体ｂの一部の位置情報をプログラミングしておく。そして、データ本体ｂを再生すると共に、この位置情報に基いてデータ本体ｂの欠落部分を認識し、データ本体ｂの一部を当該欠落部分のデータとして再生するようにすることもできる。このようにすれば、位置情報が不要になる。なお、再生情報とデータ本体ｂの一部双方を欠落させるようにすることも勿論可能である。
【００８９】
サーバ１２０、２２０については、一つである必要はなく、複数に分割することが可能である。この場合には、デジタルコンテンツのヘッダ情報ａにどのサーバ１２０、２２０に再生情報が記録されているのか、サーバ１２０、２２０のアドレスを記録しておく必要がある。なお、サーバ２２０は、デジタルコンテンツの送信と共に、再生情報を読み出して送信するようにしても良い。
【００９０】
個人情報についてはサーバ１２０、２２０に記録されるとしたが、これに限定されることはない。即ち、再生装置１１０、２１０が、デジタルコンテンツを再生するに当たり、メモリ部に予め記録されたユーザの個人情報を読み出し、当該個人情報をデジタルコンテンツに埋め込み再生するようにしても良い。
【００９１】
なお、ここではレンタルではなく有償又は無償で配信されたコンテンツファイルの不正使用を防止するシステムに設計変更することも可能であり、この場合であっても上記と同様のメリットを奏する。この場合に使用される再生用プログラムについては、配信されたコンテンツファイルがレンタル期間外であるときの処理を削除するだけの内容で良い。また、再生装置１１０、２１０に関しては、再生用プログラムをサーバ１２０、２２０からダウンロードするのではなく、ＣＤ等を記録媒体を通じてインストールするようにしても良い。また、コンピュータではなく専用装置の形態にすることもできるのは当然である。再生用プログラムの内容は一例であり、上記の内容に限定されないことは言う迄もない。
【図面の簡単な説明】
【００９２】
【図１】本発明の第１の実施の形態に係るデジタルコンテンツの不正使用防止システムのブロック図である。
【図２】同システムに用いられる再生用プログラムのフローチャートである。
【図３】同管理センタの制御部により処理されるデータ送信用割込プログラムのフローチャートである。
【図４】本発明の第２の実施の形態に係るデジタルコンテンツの不正使用防止システムのブロック図である。
【図５】同システムに用いられる再生用プログラムのフローチャートである。
【図６】同管理センタの制御部により処理されるデータ送信用割込プログラムのフローチャートである。
【符号の説明】
【００９３】
１００、２００  デジタルコンテンツの不正使用防止システム
１１０、２１０  再生装置
１２０  ２２０  サーバ
α              記録媒体
β              通信回線
【図１】
2006004374.tif 000003
【図２】
2006004374.tif 000004
【図３】
2006004374.tif 000005
【図４】
2006004374.tif 000006
【図５】
2006004374.tif 000007
【図６】
2006004374.tif 000008